(57)【特許請求の範囲】
【請求項１】
遊技機において外部操作可能に取り付けられる遊技機用操作装置であって、
遊技機本体に直接又は他部材を介して間接的に取り付けられる固定ベース部と、
前記固定ベース部に対して相対移動可能に構成され、非操作時に所定の突出位置で保持されると共に、押圧操作を受けたときに前記突出位置から沈んだ沈下位置に移動する操作ボタンと、
前記操作ボタンを前記突出位置に向けて付勢する付勢手段と、
前記操作ボタンに隣接して設けられると共に前記固定ベース部に対して相対移動可能に配置され、前記固定ベース部から浮上した所定の浮上位置とこの浮上位置から沈下した待機位置とで変位可能な可動体と、
前記操作ボタンと前記可動体とを連結状態と非連結状態とに変化させる連結手段と、
を備え、
前記連結手段は、コイル部と、このコイル部内に進入可能に配置されるプランジャ部とを備え、前記コイル部の励磁及び励磁解除の切り替えに応じて前記プランジャ部が当該コイル部に対して相対的に駆動するソレノイド装置を有し、
前記操作ボタン及び前記可動体の一方に前記コイル部が固定され、他方に前記プランジャ部が固定され、
前記コイル部側の部材又は前記プランジャ部側の部材の自重、及び付勢部材の付勢作用の少なくともいずれかにより、前記コイル部の一端側から前記プランジャ部を突出させようとする付勢力が生じるように構成されており、
前記コイル部の励磁解除に応じて前記可動体が所定位置に退避し且つ前記操作ボタンが前記可動体に対して独立して相対変位可能となり、
前記コイル部が励磁されたときには、前記コイル部内に前記プランジャ部が引き込まれることにより前記操作ボタンと前記可動体とが一体的に連結され、
前記連結手段が前記非連結状態の場合には、前記可動体が前記待機位置に沈下したまま、前記操作ボタンの押圧操作に応じて当該操作ボタンが前記可動体とは独立して移動し、
前記連結手段が前記連結状態に切り替えられた場合には、非操作時においては前記可動体が前記浮上位置に浮上し、前記操作ボタンの押圧操作に応じて当該操作ボタンと前記可動体とが一体的に移動することを特徴とする遊技機用操作装置。
【請求項２】
前記操作ボタンは、前記固定ベース部に対する第１の変位範囲で相対移動可能となるように前記固定ベース部に保持されており、
前記可動体は、前記操作ボタンに対する第２の変位範囲で相対移動可能となるように当該操作ボタンに保持されていることを特徴とする請求項１に記載の遊技機用操作装置。
【請求項３】
前記ソレノイド装置は、前記プランジャ部の軸方向が前記操作ボタンの移動方向に沿うように配置されていることを特徴とする請求項１又は２に記載の遊技機用操作装置。
【請求項４】
前記プランジャ部は、軸方向が鉛直方向に沿うように配置されると共に、鉛直方向に沿って往復動可能とされ、
前記コイル部は、鉛直方向に沿うように往復動可能とされており、
前記操作ボタンは、鉛直方向に沿って往復動可能とされると共に、非操作時に所定の上方突出位置に保持されるようになっており、
前記操作ボタンの非操作時において、前記コイル部が励磁されて当該コイル部内に前記プランジャ部が引き込まれたときには、前記上方突出位置にある前記操作ボタンと連結するように前記可動体が前記浮上位置に浮上し、
前記操作ボタンの非操作時において、前記コイル部の励磁が解除されたときには、その励磁解除に応じて前記可動体が少なくとも自重により前記浮上位置よりも下方の前記待機位置に沈み込むことを特徴とする請求項１から請求項３のいずれか一項に記載の遊技機用操作装置。
【請求項５】
前記ソレノイド装置は、
前記プランジャ部が、前記操作ボタンに固定され、
前記コイル部が、前記可動体に固定され、
前記プランジャ部を前記コイル部の一端側から突出させるように付勢する前記付勢部材としての付勢ばねを備え、
前記付勢ばねが、前記操作ボタンにおける前記プランジャ部の固定部位と前記可動体における前記コイル部の固定部位とを離間する方向に付勢していることを特徴とする請求項１から請求項４のいずれか一項に記載の遊技機用操作装置。
【請求項６】
前記可動体は、前記操作ボタンの周囲を取り囲むように環状に構成され、
前記操作ボタンの露出側に形成された第１操作部は、光透過性材料によって構成され、
前記可動体の露出側に形成された第２操作部は、前記第１操作部の周囲に環状に配置されると共に光透過性材料によって構成され、
前記操作ボタン又は前記可動体の一方側に固定される形態で、前記第１操作部側に光を照射する第１発光部と、前記可動体側に光を照射する第２発光部とが実装された基板が設けられており、
前記第１発光部から前記第１操作部側に照射された光が、前記第１操作部を介して外部に照射され、
前記第２発光部から前記可動体側に照射された光が、前記第２操作部を介して外部に照射されることを特徴とする請求項１から請求項５のいずれか一項に記載の遊技機用操作装置。
【請求項７】
請求項１から請求項６のいずれか一項に記載の遊技機用操作装置を備えたことを特徴とする遊技機。
【発明の詳細な説明】
【技術分野】
【０００１】
本発明は、遊技機用操作装置及びそれを備えた遊技機に関するものである。
【背景技術】
【０００２】
従来より、遊技盤に表示装置などの演出部品が設けられた遊技機が広く提供されており、その演出方法も多様化している。特に、現在では、遊技者の遊技への関与度を高めることで、面白みを増加させようとする技術が求められており、その一例としては、例えば、遊技者によって操作可能な押しボタンを前面側に設け、その押しボタンが押されたときに表示装置やその他の演出部品に何らかの遊技状態を生じさせるといった構成が考えられている。なお、このような技術としては、例えば特許文献１、２のようなものが提供されている。
【０００３】
例えば、特許文献１の遊技機用操作スイッチ装置では、ソレノイド等の伝動アクチュエータ（２１）を作動させることにより、押しボタン（６）の周囲の可動体（７）が突出するようになっており、伝動アクチュエータ（２１）の駆動によって可動体（７）を突出させることにより、遊技者に対し遊技中に適時に強いインパクトを与えようとしている。この構成では、押しボタン（６）と可動体（７）とが独立して上下動可能とされており、伝動アクチュエータ（２１）の非駆動状態において可動体（７）を第１スプリング（１８）の弾性に抗して没動させたときに第２スプリング（２３）の弾性により可動体（７）と係合片（２２）とが係合し、可動体（７）の突出動が阻止されるようになっている。そして、伝動アクチュエータ（２１）が駆動されたときには、可動体（７）と係合片（２２）の係合が解除され、可動体（７）が突出位置に浮上するようになっている。
【０００４】
また、特許文献２の遊技機用押ボタンスイッチ（１６）では、突出した押ボタン（１７）を復帰手段により所定位置（係合手段（５８）が押しボタン（１７）に係合する位置）に自動的に復帰できるようにした構成が開示されている。この構成では、伝動アクチュエータ（５９）の作動に応じ、第１付勢部材（３０）の付勢によって押しボタン（１７）を突出位置に変位させることができ、これにより、遊技中の適時に、遊技者に強いインパクトを与えるようにしている。また、仮に突出した押しボタン（１７）を遊技者が押さなかったり、押し忘れたりしたとしても、突出した押しボタン（１７）は、復帰手段によって自動的に復帰するようになっている。
【先行技術文献】
【特許文献】
【０００５】
【特許文献１】特許第４５４３００９号公報
【特許文献２】特許第４４６１１３１号公報
【発明の概要】
【発明が解決しようとする課題】
【０００６】
しかしながら、特許文献１の構成では、可動体（７）と押しボタン（６）との連携性が低いという問題がある。例えば、特許文献１の図１〜図７の構成では、可動体（７）の突出後には、押しボタン（６）をかなり押し下げないと、可動体（７）も下がらず、基本的に押しボタンが可動体とは独立して変位する構成であるため、押しボタン（６）と可動体（７）とが別々のボタンであるという感覚が極めて大きくなる。また、特許文献１の図８の構成では、可動体（７）の突出後には、押しボタン（６）と可動体（７）が共に突出して外見上はボタンの巨大化が図られるが、押しボタン（６）と可動体（７）とが連携せずにそれぞれ独立して上下動する構成であるため、やはり、押しボタン（６）と可動体（７）とが別々のボタンであるという感覚が極めて大きくなる。特に、可動体（７）の部分のみを押したり、押しボタン（６）の部分のみを押したりすると、その部分のみしか下降しないため、「巨大なボタンを操作する」という感覚が低いものとなってしまうという問題がある。
【０００７】
また、特許文献２の構成では、ボタンの突出及び非突出による変化を演出することはできるが、ボタンが単一の部品によって構成されているため、ボタン自体の形状的な変化を与えることができない。従って、ボタンサイズ（例えばボタンの径）が大きくなる印象を与えにくく、変化に乏しいことは否めない。
【０００８】
本発明は、上述した課題を解決するためになされたものであり、押圧操作可能なボタンを備えた遊技機用操作装置において、ボタンサイズが変化するという強いインパクトを与えることができ、且つボタンサイズが大きくなる態様において巨大化したボタンが全体的に一体化している印象を与えることができる構成を提供することを目的とする。
【課題を解決するための手段】
【０００９】
本発明は、遊技機において外部操作可能に取り付けられる遊技機用操作装置であって、
遊技機本体に直接又は他部材を介して間接的に取り付けられる固定ベース部と、
前記固定ベース部に対して相対移動可能に構成され、非操作時に所定の突出位置で保持されると共に、押圧操作を受けたときに前記突出位置から沈んだ沈下位置に移動する操作ボタンと、
前記操作ボタンを前記突出位置に向けて付勢する付勢手段と、
前記操作ボタンに隣接して設けられると共に前記固定ベース部に対して相対移動可能に配置され、前記固定ベース部から浮上した所定の浮上位置とこの浮上位置から沈下した待機位置とで変位可能な可動体と、
前記操作ボタンと前記可動体とを連結状態と非連結状態とに変化させる連結手段と、
を備え、
前記連結手段が、コイル部と、このコイル部内に進入可能に配置されるプランジャ部とを備え、前記コイル部の励磁及び励磁解除の切り替えに応じて前記プランジャ部が当該コイル部に対して相対的に駆動するソレノイド装置を有し、
前記操作ボタン及び前記可動体の一方に前記コイル部が固定され、他方に前記プランジャ部が固定され、
前記コイル部側の部材又は前記プランジャ部側の部材の自重、及び付勢部材の付勢作用の少なくともいずれかにより、前記コイル部の一端側から前記プランジャ部を突出させようとする付勢力が生じるように構成されており、
前記コイル部の励磁解除に応じて前記可動体が所定位置に退避し且つ前記操作ボタンが前記可動体に対して独立して相対変位可能となり、
前記コイル部が励磁されたときには、前記コイル部内に前記プランジャ部が引き込まれることにより前記操作ボタンと前記可動体とが一体的に連結され、
前記連結手段が前記非連結状態の場合には、前記可動体が前記待機位置に沈下したまま、前記操作ボタンの押圧操作に応じて当該操作ボタンが前記可動体とは独立して移動し、
前記連結手段が前記連結状態に切り替えられた場合には、非操作時においては前記可動体が前記浮上位置に浮上し、前記操作ボタンの押圧操作に応じて当該操作ボタンと前記可動体とが一体的に移動することを特徴とする。
【００１０】
また、本発明は、上記遊技機用操作装置を備えた遊技機として構成されることを特徴とする。
【発明の効果】
【００１１】
本発明では、非操作時に連結手段が連結状態に切り替えられた場合には、可動体が浮上位置に浮上するように動作するため、恰も突出位置にある操作ボタンのサイズが大きくなるように変化したかの如く強いインパクトを与えることができる。また、このときには、操作ボタンの押圧操作に応じて当該操作ボタンと前記可動体とが一体的に移動するため、ボタンサイズが大きくなる態様において巨大化したボタンが全体的に一体化している印象を与えることができ、大きなボタンを操作しているという感覚が極めて強くなる。
また、操作時（押圧時）に連結手段が連結状態に切り替えられた場合には、その押圧が解除されたときに、押していた操作ボタンが大きくなって戻ってくる（押圧前に小さかったボタンが突然大きくなる）かの如く、強い印象を与えることができる。
また、連結手段が非連結状態に切り替えられた場合には、可動体が待機位置に沈下し、操作ボタンの押圧操作に応じて当該操作ボタンが可動体とは独立して移動するため、小さいボタンを操作する感覚を与えることができ、浮上位置の状態を際立たせるギャップを生じさせることができる。
また、この構成では、複雑な構成や大掛かりな構成を用いることなく、プランジャ部とコイル部とを備えたソレノイド装置を主体として連結手段を実現できる。特にコイル部内にプランジャ部を引き込むことで操作ボタンと可動体とを連結しているため、連結に際し機械的な負荷（曲げ、圧縮、引張等の負荷）が少なく、遊技者に連結を解除するような操作（悪戯等）をされても劣化や破損などが生じにくくなる。
【００１２】
また、本発明に係る遊技機用操作装置において、前記操作ボタンが、前記固定ベース部に対する第１の変位範囲で相対移動可能となるように前記固定ベース部に保持されており、前記可動体は、前記操作ボタンに対する第２の変位範囲で相対移動可能となるように当該操作ボタンに保持されていてもよい。
【００１３】
このように、可動体が、操作ボタンに対して第２の変位範囲で相対移動可能となるように当該操作ボタンに保持されるようにすると、可動体及び操作ボタンを相対変位可能に互いに組み付けた状態で固定ベース部に組み付けることができるため、製造時やメンテナンス時の組み付けを行いやすくすることができる。
【００１６】
また、本発明において、前記ソレノイド装置は、前記プランジャ部の軸方向が前記操作ボタンの移動方向に沿うように配置されていてもよい。
【００１７】
このように、軸方向に移動するプランジャ部の当該軸方向が、操作ボタンの移動方向に沿うように構成されていると、プランジャ部の移動経路が、操作ボタンの大きさ（押圧方向と直交する平面方向に関する大きさ）を決定する上で影響を与えにくく、操作ボタンのコンパクト化を図りやすくなる。
【００１８】
また、本発明において、前記プランジャ部の軸方向が鉛直方向に沿うように構成され、且つ前記プランジャが鉛直方向に沿って往復動可能とされ、前記コイル部が鉛直方向に沿うように往復動可能とされていてもよい。更に、前記操作ボタンが、鉛直方向に沿って往復動可能とされ、且つ非操作時に所定の上方突出位置に保持されるようになっていてもよい。この場合、前記操作ボタンの非操作時において、前記コイル部が励磁されて当該コイル部内に前記プランジャ部が引き込まれたときに、前記上方突出位置にある前記操作ボタンと連結するように前記可動体が前記浮上位置に浮上し、前記操作ボタンの非操作時において、前記コイル部の励磁が解除されたときには、その励磁解除に応じて前記可動体が少なくとも自重により前記浮上位置よりも下方の前記待機位置に沈み込むように構成されていることが望ましい。
【００１９】
この構成では、操作ボタンの非操作時において、ソレノイド装置が駆動されたとき（即ち、コイル部内にプランジャ部が引き込まれたときには）、上方突出位置にある操作ボタンと連結するように可動体が浮上位置に浮上するため、上方に突出する大きなボタンが自動的に生じたような強いインパクトを与えることができる。また、操作ボタンの非操作時において、ソレノイド装置の駆動が解除されたとき（即ち、コイル部の励磁が解除されたとき）には、その励磁解除に応じて可動体が自重により浮上位置よりも下方の前記待機位置に沈み込むようになっているため、可動体の自重を効率的に利用して当該可動体を退避させ、待機位置で安定的に保持することができる。
【００２０】
また、本発明において、前記ソレノイド装置は、前記プランジャ部が前記操作ボタンに固定され、前記コイル部が前記可動体に固定され、前記プランジャ部を前記コイル部の一端側から突出させるように付勢する前記付勢部材としての付勢ばねが設けられていてもよい。この場合、前記付勢ばねは、前記操作ボタンにおける前記プランジャ部の固定部位と前記可動体における前記コイル部の固定部位とを離間する方向に付勢していることが望ましい。
【００２１】
この構成では、ソレノイド装置の非駆動時に、プランジャ部とコイル部とを離間する方向に付勢し続けることができ、ひいては、可動体を待機位置側に付勢することができるため、可動体を待機位置に安定的に保持し易くなる。特に自重だけでなく、自重と付勢ばねの両方によって付勢することができるため、可動体が待機位置により安定的に保持されることとなる。
【００２２】
また、本発明において、前記可動体は、前記操作ボタンの周囲を取り囲むように環状に構成されていてもよい。そして、前記操作ボタンの露出側に形成された第１操作部が、光透過性材料によって構成され、前記可動体の露出側に形成された第２操作部が、前記第１操作部の周囲に環状に配置され且つ光透過性材料によって構成されていてもよい。この場合、前記操作ボタン又は前記可動体の一方側に固定される形態で、前記第１操作部側に光を照射する第１発光部と、前記可動体側に光を照射する第２発光部とが実装された基板が設けられ、前記第１発光部から前記第１操作部側に照射された光が、前記第１操作部を介して外部に照射され、前記第２発光部から前記可動体側に照射された光が、前記第２操作部を介して外部に照射されるように構成されていることが望ましい。
【００２３】
この構成によれば、共通の基板上に操作ボタン側の操作部（第１操作部）を照らす第１発光部と、可動体側の操作部（第２操作部）を照らす第２発光部とを実装することができ、部品点数の削減、及び省スペース化を図ることができる。
【００２４】
また、本発明に係る上記いずれかの遊技機用操作装置を備えることで、これらと同様の効果を奏する遊技機を実現できる。
【図面の簡単な説明】
【００２５】
【図１】図１は、第１実施形態に係る遊技機用操作装置を備えた遊技機を例示する斜視図である。
【図２】図２（Ａ）は、第１実施形態に係る遊技機用操作装置の平面図であり、図２（Ｂ）は、その正面図である。
【図３】図３は、図２の遊技機用操作装置の裏面図である。
【図４】図４は、図２の遊技機用操作装置の分解斜視図である。
【図５】図５は、図２の遊技機用操作装置について、図４とは異なる方向から見た分解斜視図である。
【図６】図６（Ａ）は、図２の遊技機用操作装置の要部を示す斜視図であり、図６（Ｂ）は、図６（Ａ）とは異なる方向から見た斜視図である。
【図７】図７（Ａ）は、図２の遊技機用操作装置の操作ボタン等を示す平面図であり、図７（Ｂ）は、その正面図である。
【図８】図８（Ａ）は、図２の遊技機用操作装置の操作ボタン等を示す斜視図であり、図８（Ｂ）は、図８（Ａ）とは異なる方向から見た斜視図である。
【図９】図９（Ａ）は、図２の遊技機用操作装置の可動体等を示す平面図であり、図９（Ｂ）は、その正面図である。
【図１０】図１０（Ａ）は、図２の遊技機用操作装置の可動体等を示す斜視図であり、図１０（Ｂ）は、図１０（Ａ）とは異なる方向から見た斜視図である。
【図１１】図１１は、図３のＡ−Ａ位置で切断した切断面を概略的に示す断面図である。
【図１２】図１２は、図１１の状態から連結状態に変化したときの様子を示す断面図である。
【図１３】図１３は、図１１又は図１２の状態から操作ボタンが押されたときの様子を示す断面図である。
【図１４】図１４（Ａ）は、非連結状態における操作ボタン付近の様子を示す正面図であり、図１４（Ｂ）は、連結状態における操作ボタン付近の様子を示す正面図である。
【図１５】図１５（Ａ）は、非連結状態のときの、図３のＢ−Ｂ断面の様子を示す断面図であり、図１５（Ｂ）は、図１５（Ａ）の状態から操作ボタンが押圧された状態に変化したときの様子を示す断面図である。
【図１６】図１６（Ａ）は、非連結状態のときの、図３のＣ−Ｃ断面の様子を示す断面図であり、図１６（Ｂ）は、図１６（Ａ）の状態から操作ボタンが押圧された状態に変化したときの様子を示す断面図である。
【発明を実施するための形態】
【００２６】
[第１実施形態]
以下、本発明に係る遊技機用操作装置及び遊技機を具現化した第１実施形態について、図面を参照して説明する。なお、図１は、第１実施形態に係る遊技機用操作装置を備えた遊技機を例示する斜視図であり、まず、図１を参照して遊技機１の構成を概説する。
【００２７】
（遊技機の構成）
図１に示す遊技機１は、いわゆるパチンコ機として構成されており、遊技者側に配される前面枠２に形成された窓部に透明板３（ガラス板等）が配置され、遊技者が、透明板３を介して後方の遊技領域を視認できるように構成されている。また、透明板３の後方（奥側）には、図示しない遊技盤が配置され、この遊技盤上にガイドレール等によって区画された遊技領域（遊技球が流下可能な領域：図示略）が形成されている。更に、透明板３の下方側には、遊技球を受ける遊技球受皿７が形成されており、この遊技球受皿７の外壁部から一部を露出させる構成で遊技機用操作装置１０が設けられている。
【００２８】
（遊技機用操作装置の構成）
次に、第１実施形態に係る遊技機用操作装置１０について説明する。
遊技機用操作装置１０は、図２、図３に示すような外観をなしており、図４、図５に示すように、主として、ケース体１１、固定ベース部２０、操作ボタン３０、ばね部材４０、可動体５０、ソレノイド装置６０などを備えており、遊技者が操作ボタン３０の押圧操作を行い得るように構成されている。
【００２９】
ケース体１１は、図４、図５に示すように、全体的に一方側が開口した略箱状形態をなしており、後述する固定ベース部２０を保持する構成をなしている。このケース体１１は、上壁部１１ａと、周壁部１１ｂ、１１ｃ、１１ｄ、１１ｅを備え、周壁部１１ｂ、１１ｃ、１１ｄ、１１ｅによって環状に構成された周壁の上方側に上壁部１１ａが配置され、下方側が開口した形態をなしている。また、上壁部１１ａには、円形の開口部１１ｆが形成されており、この開口部１１ｆの周縁部から下方側に突出する形態で円筒状の筒状部１２が形成されている。開口部１１ｆの開口領域と筒状部１２の中空領域が連通しており、開口部１１ｆ及び筒状部１２と嵌合する形態で、後述する固定ベース部２０が固定されている。
【００３０】
固定ベース部２０は、遊技機本体（遊技機１における遊技機用操作装置１０以外の部分）に直接又は他部材を介して間接的に取り付けられるものであり、本実施形態では、他部材としてケース体１１を介して間接的に遊技機本体に取り付けられている。この固定ベース部２０は、図４、図５のように、有底筒状に構成されており、円筒状に構成された外周壁２２と、底壁２４とを備え、一方側（上方側）が開口した形態をなしている。また、外周壁２２の一端部（上端部）から外周壁２２の半径方向外側に張り出すフランジ部２３が形成されている。
【００３１】
また、図６に示すように、底壁２４から、上方側に突出する形態で、円筒状の円筒部２４ａ、２４ｂ、２４ｃが形成されている。３つの円筒部２４ａ、２４ｂ、２４ｃは、同様の構成をなしており、外周壁２２の半分程度の高さ（上下方向における中央位置付近）まで突出するように押圧方向（中心軸線Ｇの方向）に沿って細長に形成され、後述する操作ボタン３０の軸状部３２ａ、３２ｂ、３２ｃが摺動可能に嵌合するようになっている（図１１参照）。なお、本実施形態では、中心軸線Ｇの方向がほぼ鉛直方向となるように配置されるようになっている。
【００３２】
また、図４に示すように、外周壁２２の内壁部２２ａ及び底壁２４から内側に突出するようにリブ状の突出壁２１が形成されている（図１６も参照）。この突出壁２１は、外周壁２２の内壁部２２ａから当該外周壁２２の半径方向内側に突出するように板状に構成されており、底壁２４の位置から、外周壁２２の上下方向中央位置よりも上端側に近い位置まで上下方向に沿ってリブ状に続いている。なお、この突出壁２１は、後述する検出センサ８３の遮蔽部（被検出部）として機能している。また、本実施形態では、図７に示すように、基板８０の検出センサ８３を配置する部分が半径方向に突出して形成されており、図４に示すように、基板８０の当該突出部分（検出センサ８３を配置する部分）の向きと、突出壁２１の向きを位置合わせするように組み付けることで、基板８０付近の部品を固定ベース部２０に正確に位置決めして組み付けることができるようになっている。即ち、突出壁２１は、組付けの目印（誤組付け防止）としても機能することとなる。また、本実施形態では、図９、図１０のように、後述する可動体５０の可動体本体５１に設けられた円筒状の外周壁５１ａにおいて、当該外周壁５１ａの下端部から上下方向に延びる切欠部５１ｅが形成されており、上記突出壁２１がこの切欠部５１ｅ内に嵌り込むように固定ベース部２０と可動体５０とが位置合わせされつつ嵌合するようになっている。この構成では、固定ベース部２０に対して可動体５０が相対移動（上下動）するときに、突出壁２１が切欠部５１ｅに案内されつつ移動するようになっており、切欠部５１ｅは可動体のガイドとしても機能するようになっている。
【００３３】
操作ボタン３０は、固定ベース部２０を相対移動可能に保持するものであり、図４、図５に示すように、操作体３１と、ベース体３２とを備えている。図７、図８に示すように、操作体３１は、略円筒状に構成される外周壁３１ａと、外周壁３１ａの上端部から略ドーム状に続く被押圧部３１ｂとを備えており、被押圧部３１ｂが上壁部として構成されると共に外部に露出する露出部となっている（図２も参照）。被押圧部３１ｂは、操作ボタン３０の露出側に形成されると共に、光を透過する光透過性の材料（例えば半透明の材料）によって構成されており、少なくとも後述するＬＥＤ８１からの内部光を外部に照出させる構成をなしている。なお、被押圧部３１ｂは、「第１操作部」の一例に相当する。
【００３４】
ベース体３２は、図４、図５に示すように、操作体３１における外周壁３１ａと連結される円盤状の基部３２ｄと、この基部３２ｄから下方側に突出する軸状部３２ａ、３２ｂ、３２ｃを備えている。軸状部３２ａ、３２ｂ、３２ｃは、基部３２ｄの外周部に連結される形態で配置され（図７、図８も参照）、基部３２ｄの外周部付近から押圧方向（中心軸線Ｇの方向）に沿って細長に形成されており、上述した円筒部２４ａ、２４ｂ、２４ｃの内側に嵌り込む形態で配置されるようになっている。
【００３５】
また、図７、図８に示すように、各軸状部３２ａ、３２ｂ、３２ｃにはそれぞれ、揺動可能且つ弾性変形可能な爪部３７ａ、３７ｂ、３７ｃが形成されている。各爪部３７ａ、３７ｂ、３７ｃはそれぞれ、各軸状部３２ａ、３２ｂ、３２ｃの軸方向と略直交する方向に沿って外側に突出しており、それぞれが円筒部２４ａ、２４ｂ、２４ｃに形成された上下方向の溝部２７ａ、２７ｂ、２７ｃにはまり込むようになっている（図１５も参照）。これら爪部３７ａ、３７ｂ、３７ｃは、操作ボタン３０の上下動に伴ってそれぞれが溝部２７ａ、２７ｂ、２７ｃ内を上下動するようになっており、固定ベース部２０に対する操作ボタン３０の位置が所定の上端位置に至ったときに、それぞれが嵌合する溝部の上端部と当接するようになっている（図１５（Ａ）も参照）。
【００３６】
また、操作体３１とベース体３２に挟み込まれる形態で、基板８０が配置されている。この基板８０は、各種電気部品が実装されるものであり、全体として略円板上に構成され、上下に配置される操作体３１とベース体３２とに挟持されるようになっている。この基板８０には、被押圧部３１ｂ（第１操作部）側に光を照射するＬＥＤ８１と、後述する可動体５０側に光を照射するＬＥＤ８２とが実装されている。ＬＥＤ８１は、「第１発光部」の一例に相当するものであり、上方照射ＬＥＤ８１ａ、８１ｂ、８１ｃからなり、これら上方照射ＬＥＤ８１ａ、８１ｂ、８１ｃを覆う被押圧部３１ｄに向けて光を照射するようになっている。なお、各上方照射ＬＥＤ８１ａ、８１ｂ、８１ｃからの光の照射経路には、適宜、レンズ部材を配置することが望ましい。
【００３７】
また、ＬＥＤ８２は、「第２発光部」の一例に相当するものであり、側方照射ＬＥＤ８２ａ、８２ｂ、８２ｃ、８２ｄ、８２ｅ、８２ｆからなり、操作体３１の周囲に環状に設けられた可動体５０に向けて光を照射する構成をなしている。具体的には、外周壁３１ａにおいて、側方照射ＬＥＤ８２ａ、８２ｂ、８２ｃ、８２ｄ、８２ｅ、８２ｆの半径方向（中心軸線Ｇを中心とする半径方向）外側の位置に、切欠部３５ａ、３５ｂ、３５ｃ、３５ｄ、３５ｅ、３５ｆがそれぞれ形成されており、側方照射ＬＥＤ８２ａ、８２ｂ、８２ｃ、８２ｄ、８２ｅ、８２ｆは、切欠部３５ａ、３５ｂ、３５ｃ、３５ｄ、３５ｅ、３５ｆをそれぞれ介して前記半径方向外側に光を照射することで、可動体５０の外周壁５１ａの内側に光を当てている。可動体５０側に照射された光は大部分が可動体５０内で拡散反射し、その拡散反射光が可動体５０に形成された光透過性の被押圧部５１ｂ（第２操作部：後述）を介して外部に照射されるようになっている。なお、各側方照射ＬＥＤ８２ａ、８２ｂ、８２ｃ、８２ｄ、８２ｅ、８２ｆからの光の照射経路には、適宜、リフレクタ、レンズ部材などを配置することが望ましい。
【００３８】
上記のように一体的に形成された操作ユニット（操作ボタン３０と基板８０の結合体）の下方側には、図７、図８に示すばね部材４０が配置されている。ばね部材４０は、ベース体３２の軸状部３２ａ、３２ｂ、３２ｃとそれぞれ結合するコイルばね４１、４２、４３からなり、各コイルばね４１、４２、４３の内側に軸状部３２ａ、３２ｂ、３２ｃが挿通された構成となっている。
【００３９】
各コイルばね４１、４２、４３の上端部は、それぞれが基部３２ｄの下端部に当接するようになっており、各コイルばね４１、４２、４３の下端部は、軸状部３２ａ、３２ｂ、３２ｃと嵌合する円筒部２４ａ、２４ｂ、２４ｃの上端部と当接するようになっている。即ち、各コイルばね４１、４２、４３のそれぞれが、基部３２ｄと円筒部２４ａ、２４ｂ、２４ｃのそれぞれとの間に挟まれる構成となっており、基部３２ｄと底壁２４とを離間させる方向に付勢している。このように構成されているため、操作ボタン３０は、固定ベース部２０を基準として常時上方に向けて付勢されることになり、非操作時には、移動可能な上端位置（突出位置：図１１等参照）で保持されるようになっている。また、被押圧部３１ｂに対して押圧操作を受けたときには、上記突出位置から沈んだ沈下位置（図１３等参照）に移動するようになっている。なお、ばね部材４０は、「付勢手段」の一例に相当するものであり、操作ボタン３０を突出位置に向けて付勢するように機能している。
【００４０】
可動体５０は、操作ボタン３０とは独立した部材として構成されており、操作ボタン３０の周囲を取り囲むように環状に配置されるようになっている。この可動体５０は、可動体本体５１と、この可動体本体５１に固定される保持部５２とを備えている。可動体本体５１は、円筒状の外周壁５１ａと、この外周壁５１ａの上端部に連結される被押圧部５１ｂとを備えている。外周壁５１ａは、固定ベース部２０の外周壁２２と嵌合し、内壁部２２ａに沿って上下動するようになっており、これにより可動体５０全体が内壁部２２ａに沿って上下動するようになっている。被押圧部５１ｂは、可動体５０の露出側に形成された第２操作部に相当するものであり、光透過性の樹脂材料等によって円環状に形成され、図１１〜図１３のように、被押圧部３１ｂの周囲で上下動するようになっている。この被押圧部５１ｂは、図１１のように非操作時且つ非連結時には、被押圧部３１ｂ（第１操作部）の周囲において当該被押圧部３１ｂと段差状となるように配置され、図１２のような非操作時且つ連結時、或いは図１３のような押圧操作時には、上面が被押圧部３１ｂと揃うように配置されるようになっている。
【００４１】
更に、外周壁５１ａと同軸であって且つ外周壁５１ａよりも径の小さい仮想円筒面に沿うように、複数の内側壁部５１ｃが形成されている。これら複数の内側壁部５１ｃは、円筒の一部を切り欠いた湾曲形態をなしており、これら複数の内側壁部５１ｃが全体として上述の操作ボタン３０の外周壁３１ａと嵌合するように構成されている。
【００４２】
保持部５２は、略円板状に構成され、外周縁部が可動体本体５１に形成された係合爪５１ｄと係合し、且つ図示しないビス等の締結部材によって可動体本体５１に固定されており、可動体本体５１と一体的に移動するようになっている。この保持部５２には、後述するソレノイド装置６０のコイル部６１が保持されており、これにより、可動体５０とコイル部６１とが一体的に移動するようになっている。
【００４３】
このように構成される可動体５０は、固定ベース部２０から浮上した所定の浮上位置（図１２）とこの浮上位置から沈下した待機位置（図１１）とで変位可能となっている。そして、後述するソレノイド装置６０（連結手段）が連結状態に切り替えられた場合には、図１２のように非操作時において可動体５０が浮上位置に浮上し、操作時においては操作ボタン３０の押圧操作に応じて当該操作ボタン３０と可動体５０とが一体的に移動するようになっている。また、ソレノイド装置６０が非連結状態に切り替えられた場合には、図１１のように可動体５０が待機位置（浮上位置から退避した退避位置）に沈下し、操作時のおいては操作ボタン３０の押圧操作に応じて当該操作ボタン３０が可動体５０とは独立して移動するようになっている。
【００４４】
なお、本実施形態では、操作ボタン３０の操作体３１には、外周壁３１ａから半径方向外側に張り出すように膨出部３３ａ，３３ｂ，３３ｃが形成されており、これら膨出部３３ａ，３３ｂ，３３ｃが基板８０を挟んで上述の軸状部３２ａ、３２ｂ、３２ｃとそれぞれ連結するようになっている。本実施形態では、可動体５０の内側壁部５１ｃの内側に操作ボタン３０の外周壁３１ａが嵌まり込むように可動体５０と操作ボタン３０とが嵌合しており、これら膨出部３３ａ，３３ｂ，３３ｃによって可動体５０の一方側からの操作ボタン３０の抜け止め（被押圧部５１ｂ側からの抜け止め）がなされ、また、コイル部６１及び保持部５２の存在によって可動体５０の他方側からの操作ボタン３０の抜け止めがなされるように可動体５０と操作ボタン３０とが互いに組み付けられている。
【００４５】
また、本実施形態では、図４、図１１等に示すように、固定ベース部２０の内壁部２２ａにおいて、リブ状のストッパ２５が形成されている。このストッパ２５は、外周壁２２の内壁部２２ａから当該外周壁２２の半径方向内側に突出するように板状に構成されており、底壁２４の位置から、外周壁２２の上下方向中央位置付近まで上下方向に沿ってリブ状に続いている。そして、ストッパ２５は、図１１のように、可動体５０が固定ベース部２０に対し所定位置よりも下方に相対移動することを規制するように機能しており、図１１のように可動体５０が待機位置に至ったときに当該可動体５０の外周壁５１ａの下端部と当接するようになっている。また、図１２のように可動体５０が浮上したときには外周壁５１ａの下端部から離間するようになっている。このようなストッパ２５が設けられているため、図１１のような状態（非連結時且つ非押圧時）で操作ボタン３０を押下しても、操作ボタン３０の押圧操作に伴って可動体５０が沈みすぎることがなく、操作ボタン３０のみを独立して上下動させることができる。また、このように非連結時（ソレノイドが通電されていないとき）に操作ボタン３０を押下した場合には、図１１、図１３のように、プランジャ部６２が付勢ばね６３の付勢に抗して移動することとなり、コイル部６１内にスムーズに進入するようになっている。
【００４６】
ソレノイド装置６０は、「連結手段」の一例に相当するものであり、図示しない制御回路（駆動手段）による制御に基づいて、操作ボタン３０と可動体５０とを連結状態と非連結状態とに変化させるように機能している。このソレノイド装置６０は、コイル部６１と、このコイル部６１内に進入可能に配置されるプランジャ部６２とを備えており、更にコイル部６１とプランジャ部６２とを離間させる方向（プランジャ部６２を突出させる方向）に付勢する付勢ばね６３を備えている。具体的には、プランジャ部６２が操作ボタン３０に固定され、コイル部６１が可動体５０に固定され、付勢ばね６３は、プランジャ部６２をコイル部６１の一端側から突出させるように付勢しており、これにより、操作ボタン３０におけるプランジャ部６２の固定部位と可動体５０におけるコイル部６１の固定部位とを離間する方向に付勢している。図４、図１１のように、操作ボタン３０におけるプランジャ部６２の固定部位は、基部３２ｄの中央部付近において皿状に形成された凹部３４ｂと、この凹部３４ｂの底部を貫通する構成で形成された孔部３４ａと、基板８０の中央部付近とによって構成されており、基部３２ｄの中央部付近に形成せれた孔部３４ａ内を貫通するようにプランジャ部６２が挿通され、プランジャ部６２の一端側（コイル部６１に挿入される側とは反対側）に形成されたフランジ部６２ａの下方側が凹部３４ｂ内で支持され上方側が基板８０によって支持されるように基部３２ｄ及び基板８０によって固定されている。即ち、基部３２ｄを貫通するようにプランジャ部６２が配されると共に、且つ一端側のフランジ部６２ａが基部３２ｄと基板８０とによって挟持されることで、プランジャ部６２が操作ボタン３０に対して固定されている。なお、ここでは、プランジャ部６２の端部を押さえる部品（フランジ部６２ａを挟持する部品）として基板８０を利用しているが、基板とは別の押さえ部材（抜け止め部材）を配置してもよい。
【００４７】
また、本実施形態では、操作ボタン３０にプランジャ部６２が固定され、このプランジャ部６２の軸方向が操作ボタン３０の移動方向（より具体的には鉛直方向）に沿うように配置されている。そして、プランジャ部６２が自身の軸方向且つ鉛直方向に沿って往復動可能とされている。また、可動体５０に固定されるコイル部６１も鉛直方向に沿うように往復動可能とされている。そして、コイル部６１の一端側（上端側）からプランジャ部６２を突出させようとする付勢力が生じるようになっている。
【００４８】
具体的には上述の付勢ばね６３の付勢作用、及びコイル部６１等の自重によってコイル部６１の一端側（上端側）からプランジャ部６２を突出させようとする付勢力が生じるようになっており、ソレノイド装置６０の非駆動時にはこのような付勢力によってプランジャ部６２がコイル部６１から突出した状態で維持されるようになっている（図１１、図１４（Ａ）参照）。換言すると、ソレノイド装置６０の非駆動時には、上記付勢力（付勢ばね６３及びコイル部６１の自重によって生じる付勢力）が、上方突出位置に保持された操作ボタン３０（図１１参照）から可動体５０を下方向に押し下げるように作用している。このとき、コイル部６１と一体化された可動体５０は、図１１のように外周壁５１ａが固定ベース部２０のストッパ２５に支持される位置まで落下した状態で保持される。一方、図１２のようにコイル部６１が励磁されたときには、上方位置で保持されるプランジャ部６２をコイル部６１が引き込むことに伴い、コイル部６１と可動体５０とが一体的に浮上することとなる。
【００４９】
次に、遊技機用操作装置１０の動作について説明する。
以上のように構成される遊技機用操作装置１０では、操作ボタン３０が押圧操作されていないときには、ばね部材４０の作用によって操作ボタン３０が上方突出位置に保持されることになり、この場合、ソレノイド装置６０が通電されていないときには、図１１のように、上述の付勢力（付勢ばね６３の付勢及びコイル部６１や可動体５０の自重）によりコイル部６１はプランジャ部６２の固定部位から離間するように移動（落下）することとなる。このとき、コイル部６１の一端側からプランジャ部６２が突出するように変位し、操作ボタン３０におけるプランジャ部６２の固定部位と可動体５０におけるコイル部６１の固定部位とがある程度離れた距離で維持され、上方突出位置にある操作ボタン３０の被押圧部３１ｂに対して、可動体５０の被押圧部５１ｂが段差状に離れるように可動体５０が待機位置に沈下する（図１１、図１４（Ａ）、図１５（Ａ）、図１６（Ａ）参照）。そして、上記付勢力により、可動体５０はこの待機位置に退避し続けることになる。
【００５０】
一方、外部の制御回路（駆動手段）がソレノイド装置６０を駆動したときには、コイル部６１が励磁され、このコイル部６１がプランジャ部６２を引き込み続けることによりコイル部６１とプランジャ部６２とが一体的に連結される。このようにコイル部６１とプランジャ部６２とが一体的に連結されることにより、それぞれが固定される操作ボタン３０と可動体５０とが一体的に連結されることになる。本実施形態では、操作ボタン３０が、鉛直方向に沿って往復動可能とされ、且つ非操作時に所定の上方突出位置に保持されるようになっているため、操作ボタン３０の非操作時において、ソレノイド装置６０が駆動されたときには、コイル部６１内にプランジャ部６２が引き込まれたときに、前記上方突出位置にある操作ボタン３０と連結するように可動体５０が浮上位置に浮上することになる（図１２、図１４（Ｂ）、図１５（Ｂ）、図１６（Ｂ）参照）。このとき、操作ボタン３０と可動体５０は一体的に連結し、一体的に移動するため、図１２のような非操作時において、操作ボタン３０や可動体５０を押下する操作を行ったときには、これらが一体的に下降し、図１３のように変位することになる。
【００５１】
一方、操作ボタン３０の非操作時において、外部の制御回路（駆動手段）がソレノイド装置６０の駆動を解除したときには、図１２のような状態から、図１１のように、コイル部６１の励磁解除に応じて可動体５０が所定位置に退避する。より具体的には、コイル部６１の励磁の解除に応じて可動体５０が自重により浮上位置よりも下方の待機位置に沈み込むことになる。このときには、操作ボタン３０が可動体５０に対して独立して相対変位可能となるため、図１１のような状態のときに操作ボタン３０に対して押下操作を行ったときには、操作ボタン３０のみが押し下げられ、図１３のように変位することになる。
【００５２】
また、遊技機用操作装置１０は、基板８０において、フォトインタラプタ等の検出センサ８３が設けられており、固定ベース部２０に対する操作ボタン３０の相対移動に応じて、操作ボタン３０に固定された基板８０上の検出センサ８３が突出壁２１を検出するようになっている。具体的には、操作ボタン３０が突出位置にあるときには、図１６（Ａ）のように検出センサ８３が突出壁２１から離間しており、検出センサ８３からは非検出信号が出力されるようになっている。このような位置関係は、図１２のような連結状態のときも同様であり、操作ボタン３０が図１１や図１２に示す突出位置にあるときには検出センサ８３から常に非検出信号（例えばＬレベル信号）が外部に出力される。一方、図１１或いは図１２の状態から操作ボタン３０が押し下げられ、図１３のように変位したときには、図１６（Ｂ）のように突出壁２１に対して検出センサ８３が相対的に近接し、検出センサ８３が突出壁２１を検出して検出信号（例えばＨレベル信号）を外部に出力することとなる。このような構成により、外部回路（図示略）において操作時と非操作時とを判別できるようになる。
【００５３】
（第１実施形態の主な効果）
本実施形態に係る遊技機用操作装置１０では、ソレノイド装置６０（連結手段）が駆動状態（連結状態）に切り替えられた場合に、非操作時において可動体５０が浮上位置に浮上するため（図１２参照）、恰も突出位置にある操作ボタン３０のサイズが大きくなるように変化したかの如く強いインパクトを与えることができる。また、このときには、操作ボタン３０の押圧操作に応じて当該操作ボタン３０と可動体５０とが一体的に移動するため、ボタンサイズが大きくなる態様において巨大化したボタンが全体的に一体化している印象を与えることができ、大きなボタンを操作しているという感覚が極めて強くなる。また、ソレノイド装置６０（連結手段）が非駆動状態（非連結状態）に切り替えられた場合には、可動体５０が待機位置に沈下し（図１１参照）、操作ボタン３０の押圧操作に応じて当該操作ボタン３０が可動体５０とは独立して移動するため、小さいボタンを操作する感覚を与えることができ、浮上位置の状態を際立たせるギャップを生じさせることができる。
【００５４】
また、本発明に係る遊技機用操作装置１０では、操作ボタン３０が、固定ベース部２０に対する第１の変位範囲で相対移動可能となるように固定ベース部２０に保持されており、可動体５０は、その可動体５０に対する第２の変位範囲で相対移動可能となるように当該一方に保持されている。なお、操作ボタン３０が固定ベース部２０に対して相対移動可能となる範囲が「第１の変位範囲」の一例に相当し、可動体５０が操作ボタン３０に対して相対移動可能となる範囲が「第２の変位範囲」の一例に相当する。
【００５５】
このように、可動体５０が操作ボタン３０に対して第２の変位範囲で相対移動可能となるように保持されるようにすると、可動体５０及び操作ボタン３０を相対変位可能に互いに組み付けた状態で固定ベース部２０に組み付けることができるため、製造時やメンテナンス時の組み付けを行いやすくすることができる。
【００５６】
また、本実施形態に係る遊技機用操作装置１０では、「連結手段」が、コイル部６１と、このコイル部６１内に進入可能に配置されるプランジャ部６２とを備えたソレノイド装置６０を有し、外部の制御回路（駆動手段）によってソレノイド装置６０が駆動されるようになっている。更に、可動体５０にコイル部６１が固定され、操作ボタン３０にプランジャ部６２が固定され、コイル部６１の一端側からプランジャ部６２を突出させようとする付勢力が生じるように構成されている。そしてソレノイド装置６０が駆動されたときには、コイル部６１が励磁されてコイル部６１内にプランジャ部６２が引き込まれることにより操作ボタン３０と可動体５０とが一体的に連結されるようになっている。また、ソレノイド装置６０の駆動が解除されたときには、コイル部６１の励磁解除に応じて可動体５０が所定位置に退避し且つ操作ボタン３０が可動体５０に対して独立して相対変位可能となっている。
この構成では、複雑な構成や大掛かりな構成を用いることなく、プランジャ部６２とコイル部６１とを備えたソレノイド装置６０を主体として連結手段を実現できる。
【００５７】
また、本実施形態では、ソレノイド装置６０において、プランジャ部６２の軸方向が操作ボタン３０の移動方向に沿うように配置されている。
このように、軸方向に移動するプランジャ部６２の当該軸方向が、操作ボタン３０の移動方向に沿うように構成されていると、プランジャ部６２の移動経路が、操作ボタン３０の大きさ（押圧方向と直交する平面方向に関する大きさ）を決定する上で影響を与えにくく、操作ボタン３０のコンパクト化を図りやすくなる。
【００５８】
また、本実施形態では、ソレノイド装置６０において、プランジャ部６２が操作ボタン３０に固定され、コイル部６１が可動体５０に固定され、プランジャ部６２をコイル部６１の一端側から突出させるように付勢する付勢ばね６３が設けられている。そして、この場合、付勢ばね６３は、操作ボタン３０におけるプランジャ部６２の固定部位と可動体５０におけるコイル部６１の固定部位とを離間する方向に付勢している。
この構成では、ソレノイド装置６０の非駆動時に、プランジャ部６２とコイル部６１とを離間する方向に付勢し続けることができ、ひいては、可動体５０を待機位置側に付勢することができるため、可動体５０を待機位置に安定的に保持し易くなる。
【００５９】
また、本実施形態では、プランジャ部６２の軸方向が鉛直方向に沿うように構成され、且つプランジャ部６２が鉛直方向に沿って往復動可能とされ、コイル部６１が鉛直方向に沿うように往復動可能とされている。更に、操作ボタン３０が、鉛直方向に沿って往復動可能とされ、且つ非操作時に所定の上方突出位置に保持されるようになっている。そして、操作ボタン３０の非操作時において、ソレノイド装置６０が駆動されてコイル部６１内にプランジャ部６２が引き込まれたときには、上方突出位置にある操作ボタン３０と連結するように可動体５０が浮上位置に浮上するようになっており、操作ボタン３０の非操作時において、ソレノイド装置６０の駆動が解除されたときには、コイル部６１の励磁の解除に応じて可動体５０が自重により浮上位置よりも下方の待機位置に沈み込むように構成されている。
【００６０】
この構成では、操作ボタン３０の非操作時において、ソレノイド装置６０が駆動されたとき（即ち、コイル部６１内にプランジャ部６２が引き込まれたときには）、上方突出位置にある操作ボタン３０と連結するように可動体５０が浮上位置に浮上するため、上方に突出する大きなボタンが自動的に生じたような強いインパクトを与えることができる。また、操作ボタン３０の非操作時において、ソレノイド装置６０の駆動が解除されたときには、コイル部６１の励磁の解除に応じて可動体５０が自重により浮上位置よりも下方の待機位置に沈み込むようになっているため、可動体５０の自重を効率的に利用して当該可動体５０を退避させ、待機位置で安定的に保持することができる。
【００６１】
また、本実施形態では、可動体５０が、操作ボタン３０の周囲を取り囲むように環状に構成されている。そして、操作ボタン３０の露出側に形成された被押圧部３１ｂ（第１操作部）が、光透過性材料によって構成され、可動体５０の露出側に形成された被押圧部５１ｂ（第２操作部）が、被押圧部３１ｂ（第１操作部）の周囲に環状に配置され且つ光透過性材料によって構成されている。そして、操作ボタン３０に連結される構成で、被押圧部３１ｂ（第１操作部）側に光を照射するＬＥＤ８１と、可動体５０側に光を照射するＬＥＤ８２とが実装された基板８０が設けられ、ＬＥＤ８２から可動体５０側に照射された光が、被押圧部５１ｂ（第２操作部）を介して外部に照射されるようになっている。
この構成によれば、共通の基板８０上に操作ボタン３０側の操作部（第１操作部）を照らすＬＥＤ８１と、可動体５０側の操作部（第２操作部）を照らすＬＥＤ８２とを実装することができ、部品点数の削減、及び省スペース化を図ることができる。
【００６２】
上記実施形態では、ソレノイド装置６０の駆動方法の一例を示したが、ソレノイド装置６０の駆動タイミングや駆動解除のタイミングは様々に設定できる。例えば、ソレノイド装置６０を所定の短時間でオンさせ、その後所定の短時間でオフするといったオンオフの切り替えを連続的に繰り返すようにすることで、可動体５０を連続的に可動（振動）させることができ、操作ボタン３０の回りで遊技者に操作ボタン３０の押下を誘導したり、煽ったりすることができる。
【００６３】
［他の実施形態]
本発明は上記記述及び図面によって説明した実施形態に限定されるものではなく、例えば次のような実施形態も本発明の技術的範囲に含まれる。
【００６４】
上記実施形態では、操作ボタン３０及び可動体５０の動作を検出する検出センサ８３を備えた基板８０を操作ボタン３０側に設けた例を示したが、このような検知センサを備えた基板を固定ベース部側に配置してもよい。
【００６５】
上記実施形態では、コイル部６１が可動体５０に固定され、プランジャ部６２が操作ボタン３０に固定された例を示したが、コイル部が操作ボタンに固定され、プランジャ部が可動体に固定されていてもよい。
【００６６】
上記実施形態では、操作ボタン３０の周囲を囲むように環状の可動体５０が配置される例を示したが、操作ボタンと可動体の構成はこのような例に限定されない。例えば、可動体の周囲を囲むように環状の操作ボタンとし、操作ボタンと可動体とを反対の構成としてもよい。また、操作ボタンと可動体とが隣り合うように並んで配置されていてもよい。
【００６７】
本実施形態では、連結手段がソレノイド装置によって構成された例を示したが、これ以外の構成であってもよい。例えば、操作ボタン及び可動体の一方にアクチュエータによって変位可能な係合爪を設け、アクチュエータが駆動されたときに、この係合爪が他方に係合して両部材を連結させるように構成してもよい。また、その係合爪による係合が、操作ボタンが押圧されたときに係合されるようにするとよい。これにより、効率よく操作ボタンと可動体とを一体的に連結することができる。なお、これに限らず、アクチュエータの駆動時に操作ボタンと可動体とが連結されて一体的に移動可能となり、非駆動時に連結が解除されて操作ボタンのみが独立して変位可能な構成であれば他の構成を採用してもよい。
【００６８】
上記実施形態では、操作ボタン３０側にＬＥＤが実装された基板８０が固定された例を示したが、可動体５０側にＬＥＤが実装された基板を固定するようにしてもよい。この場合、基板に実装された一部のＬＥＤからは被押圧部５１ｂ側に光を照射するようにし、他のＬＥＤからは、操作ボタン３０側に光を照射するようにすればよい。そして、操作ボタン３０側の照射された光が、操作ボタン３０内に取り込まれるように構成し、この光をリフレクタなどによって被押圧部３１ｂ側に拡散させるようにすればよい。
【符号の説明】
【００６９】
１…遊技機
１０…遊技機用操作装置
２０…固定ベース部
３０…操作ボタン
３１ｂ…被押圧部（第１操作部）
４０…ばね部材（付勢手段）
５０…可動体
５１ｂ…被押圧部（第２操作部）
６０…ソレノイド装置（連結手段）
６１…コイル部
６２…プランジャ部
６３…付勢ばね
７０…制御回路（駆動手段）
８０…基板
８１…ＬＥＤ（第１発光部）
８２…ＬＥＤ（第２発光部）
【図１】
0005791170.tif 000002
【図２】
0005791170.tif 000003
【図３】
0005791170.tif 000004
【図４】
0005791170.tif 000005
【図５】
0005791170.tif 000006
【図６】
0005791170.tif 000007
【図７】
0005791170.tif 000008
【図８】
0005791170.tif 000009
【図９】
0005791170.tif 000010
【図１０】
0005791170.tif 000011
【図１１】
0005791170.tif 000012
【図１２】
0005791170.tif 000013
【図１３】
0005791170.tif 000014
【図１４】
0005791170.tif 000015
【図１５】
0005791170.tif 000016
【図１６】
0005791170.tif 000017